(57)【特許請求の範囲】
【請求項１】
地面と平面を成すように設置され、乗り物の車輪をロックするグランドロック装置であって、
前記地面より低い凹部を有する本体と、
前記凹部の開口部の周縁に連結される溝蓋ユニットと、
前記車輪が前記凹部に陥入した後、前記車輪を貫通するロックユニットと、
前記ロックユニットと対向して前記本体に設置される検出ユニットと、を備え、
前記検出ユニットは、前記車輪が前記凹部に陥入したか否かを検出することを特徴とするグランドロック装置。
【請求項２】
前記溝蓋ユニットは、少なくとも１つのカバーシートと少なくとも１つの駆動要素を更に備え、前記カバーシートは前記凹部の開口部の周縁に連結され、前記駆動要素は、前記カバーシートに対応して取り付けられると共に、前記カバーシートを駆動して作動させることを特徴とする請求項１に記載のグランドロック装置。
【請求項３】
前記検出ユニットに接続される警報ユニットを更に備えることを特徴とする請求項１に記載のグランドロック装置。
【請求項４】
前記溝蓋ユニット、または前記ロックユニットに接続される利用者操作ユニットを更に備えることを特徴とする請求項１に記載のグランドロック装置。
【請求項５】
乗り物の車輪をロックするグランドロック装置であって、
凹部を有する本体と、
前記凹部の開口部の周縁に連結される溝蓋ユニットと、
ロックユニットと、
前記ロックユニットと対向して前記本体に設置される検出ユニットと、を備え、  
前記検出ユニットは、前記ロックユニットのロック経路に障害物があるか否かを検出すると共に、
前記溝蓋ユニットを開いた状態にした後に、前記ロックユニットはロック作動を行うことを特徴とするグランドロック装置。
【請求項６】
前記溝蓋ユニットは、少なくとも１つのカバーシートと少なくとも１つの駆動要素を更に備え、前記カバーシートは前記凹部の開口部の周縁に連結され、前記駆動要素は、前記カバーシートに対応して取り付けられると共に、前記カバーシートを駆動して作動させることを特徴とする請求項５に記載のグランドロック装置。
【請求項７】
前記検出ユニットに接続される警報ユニットを更に備えることを特徴とする請求項５に記載のグランドロック装置。
【請求項８】
前記溝蓋ユニット、または前記ロックユニットに接続される利用者操作ユニットを更に備えることを特徴とする請求項５に記載のグランドロック装置。
【発明の詳細な説明】
【技術分野】
【０００１】
本発明は、グランドロック装置に関し、特に、乗り物の車輪をロックするためのグランドロック装置に関する。
【背景技術】
【０００２】
経済発展に伴い急速成長したオートバイや自動車の数はすでに生活環境に交通渋滞や大気汚染の問題をもたらしている。エネルギー消費量を削減し、環境汚染を減少させるために、各国の政府は積極的に「持続可能な交通」という概念を推進している。そのうち、自転車は手軽で便利な乗り物であり、エネルギーを節約でき、環境保護の要件を満たしているだけでなく、スポーツおよび体作り用の手段とすることができるので、近年、政府の政策において、積極的に推進すべき環境保護に貢献できる交通手段となっている。環境を保護する無汚染の自転車を公共交通システムに合わせて使用し、オートバイや自動車の使用量を減らすことで、エネルギーの節約と大気汚染を減らすなどの利点をもたらすことが期待されている。
【０００３】
自転車を公共の場所にきちんと駐車するためには、通常、ＭＲＴ（Mass Rapid Transit）駅、バスステーション、学校、オフィス、市場、ショッピング街、図書館、病院、金融機関、スポーツセンター、公園、観光スポットなどの付近に自転車の駐輪スペースを追加設置することで、利用者に自転車を駐輪しやすくさせる。
【０００４】
図１に示した如く、従来技術の駐輪ラック１０は、ベース１１に複数のＡ型フレーム１２を設けて成るものであり、そのうち、各Ａ型フレーム１２は２つの平行な湾曲ロッド１２１を有する。利用者が駐車する時、前輪ＴをＡ型フレーム１２の２つの湾曲ロッド１２１の間に入れてから自ら持参したロックＬを利用して、自転車の一部と駐輪ラック１０を一緒に施錠することでパーキングロックを完成する。
【０００５】
しかしながら、従来の駐輪ラック１０は、相当大きな設置面積が必要となるので、かなり大きなスペースを占有し、歩行者が使用できるエリアが削減されるだけでなく、歩行者が歩く時、地面から突出する駐輪ラック１０に容易につまずき、負傷する可能性もある。また、自転車の利用者が自転車を駐輪ラック１０にロックするために、自らロックを持ち歩かなければならないことは非常に不便である。
【０００６】
したがって、如何に利用者にとって便利に自転車をロックできるグランドロック装置を提供するかが、業界において極力解決しなければならない課題である。
【発明の概要】
【発明が解決しようとする課題】
【０００７】
本発明の目的は、利用者にとって便利に自転車をロックできるグランドロック装置を提供することを課題とする。
【課題を解決するための手段】
【０００８】
上記の目的を達成するために、本発明に基づいたグランドロック装置は地面と平面をなすように設置され、乗り物の車輪をロックする。グランドロック装置は本体と溝蓋ユニット、及びロックユニットを備える。本体は、地面より低い凹部を有し、溝蓋ユニットは凹部の開口部の周縁に連結され、車輪が凹部に陥入した後、ロックユニットは車輪を貫通し、検出ユニットは、前記ロックユニットと対向して前記本体に設置される。
【０００９】
一実施例において、検出ユニットは、車輪が本体の凹部に陥入したか否かを検出する。
【００１０】
一実施例において、溝蓋ユニットは、少なくとも１つのカバーシートと少なくとも１つの駆動要素を備える。カバーシートは凹部の開口部の周縁に連結され、駆動要素はカバーシートに対応して取り付けられると共に、カバーシートを駆動して作動させる。
【００１１】
一実施例において、グランドロック装置は警報ユニットを更に備え、この警報ユニットは溝蓋ユニット、またはロックユニットに接続される。
【００１２】
一実施例において、グランドロック装置は利用者操作ユニットを更に備え、この利用者操作ユニットは溝蓋ユニット、またはロックユニットに接続される。
【００１３】
上記の目的を達成するために、本発明に基づいたグランドロック装置は乗り物の車輪をロックする。グランドロック装置は本体と溝蓋ユニット、及びロックユニットを備える。本体は、凹部を有し、溝蓋ユニットは凹部の開口部の周縁に連結され、検出ユニットは前記ロックユニットと対向して前記本体に設置され、溝蓋ユニットを開いた状態にした後、車輪が本体の凹部に嵌入しているかどうかを検出して、ロックユニットを動作させる。
【００１４】
一実施例において、検出ユニットは、ロックユニットのロック経路に障害物があるか否かを検出する。
【００１５】
一実施例において、本体は円形カバーを更に有し、凹部の開口部は前記円形カバーに位置する。
【００１６】
一実施例において、溝蓋ユニットは、少なくとも１つのカバーシートと少なくとも１つの駆動要素を備える。カバーシートは凹部の開口部の周縁に連結され、駆動要素はカバーシートに対応して取り付けられると共に、カバーシートを駆動して作動させる。
【００１７】
一実施例において、グランドロック装置は警報ユニットを更に備え、この警報ユニットは溝蓋ユニット、またはロックユニットに接続される。
【００１８】
一実施例において、グランドロック装置は利用者操作ユニットを更に備え、この利用者操作ユニットは溝蓋ユニット、またはロックユニットに接続される。
【発明の効果】
【００１９】
上述をまとめると、本発明に基づいたグランドロック装置は本体、溝蓋ユニット、ロックユニット及び検出ユニットを有し、且つ本体は地面より低い凹部を有する。乗り物をロックする時、溝蓋ユニットを動作させて本体の上部を開き、乗り物の車輪が本体の凹部に陥入した後、ロックユニットに車輪を貫通させることで、乗り物をロックすることができる。検出ユニットは、車輪が本体の凹部に陥入しているかどうか、或はロックユニットの経路に障害物があるかどうかを検出してロックユニットを動作させる。乗り物の利用者にとって、上記のグランドロック装置は自らロックを持ち歩く必要がないため、非常に便利である。また、グランドロック装置は地面と平面をなすように設置しているので、乗り物が駐車していない時は、グランドロック装置を設置した地面は依然として平坦で、地面から突出することがないため、歩行者は、グランドロック装置の上をスムーズに歩くことができ、駐車ラックにつまずく恐れはない。よって、本発明は歩行者が使用する歩行エリアを大幅に増加できるだけでなく、環境の美化にも役立てられる。
【図面の簡単な説明】
【００２０】
【図１】従来技術の駐車ラックの概略図である。
【図２Ａ】本発明の第１実施例に係るグランドロック装置の立体図である。
【図２Ｂ】本発明の第１実施例に係るグランドロック装置の断面図である。
【図２Ｃ】本発明の第１実施例に係るグランドロック装置の断面図である。
【図３Ａ】本発明の第１実施例に係るグランドロック装置が有する異なる実施態様の溝蓋ユニットの概略図である。
【図３Ｂ】本発明の第１実施例に係るグランドロック装置が有する異なる実施態様の溝蓋ユニットの概略図である。
【図３Ｃ】本発明の第１実施例に係るグランドロック装置が有する異なる実施態様の溝蓋ユニットの概略図である。
【図３Ｄ】本発明の第１実施例に係るグランドロック装置が有する異なる実施態様の溝蓋ユニットの概略図である。
【図４Ａ】本発明の第１実施例に係るグランドロック装置が利用者操作ユニットと合わせて使用される異なる実施態様の概略図である。
【図４Ｂ】本発明の第１実施例に係るグランドロック装置が利用者操作ユニットと合わせて使用される異なる実施態様の概略図である。
【図５Ａ】本発明の第２実施例に係るグランドロック装置の立体図である。
【図５Ｂ】本発明の第２実施例に係るグランドロック装置の断面図である。
【発明を実施するための形態】
【００２１】
詳細な説明及び単なる例示のための添付図面によって、本発明の実施例についてより明瞭となるように説明するが、それらは本発明を限定するものではない。
添付図面を参照しながら、本発明の実施例について以下の通りに説明し、その場合、同じ部材は同じ符号を付して説明する。
【実施例１】
【００２２】
図２Ａから図２Ｃは本発明の第１実施例に係るグランドロック装置の概略図である。図２Ａから図２Ｃを参照されたい。グランドロック装置２０は本体２１と溝蓋ユニット２２、及びロックユニット２３を備える。グランドロック装置２０は地面Ｇと平面をなすように設置し、乗り物の車輪Ｗをロックする。グランドロック装置２０は地面Ｇに埋め込んで設置されており、例えば、地面Ｇに穴を掘ってからその穴にグランドロック装置２０を設置するので、グランドロック装置２０の上面は地面Ｇと同一の高さであるため、グランドロック装置が地面から突出して歩行者の歩行を妨げることはない。地面Ｇは、通常の路面、またはグランドロック装置２０を設置する表面、またはグランドロック装置２０の利用者がロックを行う時に立つ表面のことを指す。乗り物とは、車輪Ｗを有するものであり、車輪Ｗの数量は少なくとも１つであり、例えば、一輪車、自転車、オートバイ、三輪車、電気自動車、またはカートなどである。以下の実施例は自転車のうちの１つの車輪Ｗがロックされる場合を例とする。
【００２３】
本体２１は、地面Ｇより低い凹部２１１を有し、車輪Ｗが陥入してロックされる時の収納スペースとすることができるが、凹部２１１の深さが車輪Ｗの外径からリムの空隙部より大きく、または等しい距離であれば良い。本実施例において、本体２１は矩形のケースを例とし、凹部２１１の開口部Ｏは１つの長形の開口部Ｏ（ここでは、矩形を例とする）であり、且つこの開口部Ｏは車輪Ｗの落下する所（図２Ｃに示す如く）である。ここでは、凹部２１１の形状は、実質的に、車輪Ｗが陥入する時に必要とされるスペースに合わせる。もちろん、本体２１はその他の外形を有することもでき、本発明はこれに限定されない。
【００２４】
溝蓋ユニット２２は凹部２１１の開口部Ｏの周縁に連結され、溝蓋ユニット２２は少なくとも１つのカバーシート２２１と少なくとも１つの駆動要素２２２を更に備える。図２Ａに示すカバーシート２２１の数量は１つの場合を例とし、カバーシート２２１は、凹部２１１の開口部Ｏのうちの１つの長辺の周縁に軸着される。カバーシート２２１はピボットによって、開口部Ｏの周縁に連結され、ピボットが回転する時に生じたねじり力によって、カバーシート２２１に復元力を持たせることで、カバーシート２２１を凹部２１１に覆う閉鎖位置まで戻すことができる。カバーシート２２１の形状は、実質的に、開口部Ｏの形状と互いに合わせられ、且つカバーシート２２１が開口部Ｏの上を覆うようにする。開口部Ｏの周縁には少なくとも１つのサポート部２１４（例えば、電子ロック）が設置され、カバーシート２２１をサポートするために用いられる。カバーシート２２１が凹部２１１を覆う時、サポート部２１４は凹部２１１の開口部Ｏまでに突出し、カバーシート２２１が開口部Ｏを覆うように支持する。カバーシート２２１が開いた状態の時、サポート部２１４を引っ込ませることで、車輪Ｗの出し入れが妨げられないようにすることができる。サポート部２１４は、例えば、電子ロックである。注意すべきことは、溝蓋ユニット２２のカバーシート２２１の上面はグランドロック装置２０の上面の一部分でもあるため、カバーシート２２１の上面は、実質的に、地面Ｇと等しい高さにある。駆動要素２２２は、カバーシート２２１に対応して取り付けられると共に、カバーシート２２１を駆動して作動させる。駆動要素２２２は、例えば、モータとギア等を組み合わせたものであり、これによって、カバーシート２２１を駆動して作動させる。駆動されたカバーシート２２１の作動方法は、移動、または回転を含む。ここでは、カバーシート２２１を上向きに回転させるように駆動することで、カバーシート２２１を開く場合を例とする。
【００２５】
当然、カバーシートと開口部周縁の合わせ方、または連結方法は、その他の異なる態様であることができ、以下では、説明を簡単にするため、図面には、本体と溝蓋ユニットのみを示す。図３Ａに示すように、図３Ａは２つのカバーシート２２１ａが開口部の周縁に連結される態様を表示し、各カバーシート２２１ａはそれぞれピボットによって、開口部周縁に軸着され、且つ駆動要素２２２ａは、カバーシート２２１ａを下向きに回転させるように駆動することで、凹部２１１ａを露出させる。図３Ｂに示すように、図３Ｂは、カバーシート２２１ｂが開口部Ｏを覆う時、開口部周縁に位置するサポート部２１４ｂ（例えば、凹溝）によって支持される態様を表示する。図３Ｃに示すように、図３Ｃは、駆動要素２２２ｃによって駆動されたカバーシート２２１ｃが路面に平行する水平移動の方式で移動することで、凹部２１１ｃを開き、または閉じる態様を表示する。駆動要素２２２ｃはモータとギア、及びピニオンなどを有し、モータによってカバーシート２２１ｃを駆動し、カバーシート２２１ｃを水平移動させる。図３Ｄに示すように、図３Ｄは、カバーシート２２１ｄが本体２１ｄの短辺に軸着される態様を表示する。よって、サポート部２２３ｄが引っ込むと同時に車輪Ｗの重量により下方に押されると、カバーシート２２１ｄの一端は、本体２１ｄと接触するまでに落下し、且つ本体２１ｄの底面とアングルθを形成する。よって、車輪Ｗが凹部２１１ｄに陥入した時、車輪Ｗはカバーシート２２１ｄに寄りかかって、直接に本体２１ｄの底面に陥らないため、雨が降った場合、車輪Ｗが溜まり水によってさび付くのを避けることができる。
【００２６】
再度、図２Ａから図２Ｃを参照されたい。ロックユニット２３は本体２１の一側面に設置する場合を例とするが、もちろん、ロックユニット２３は、グランドロック装置２０を取り付ける時に掘った穴の穴壁の側面、または底面に固定設置することもできる。ロックユニット２３はロックシリンダー、ロックプレート、または電子ロック（例えば、電気ドロップボルト）であり、ここでは、ロックユニット２３は電気制御で伸縮可能な電気ドロップボルトを例とし、この電気ドロップボルトは駆動信号を受信して突出し、または引っ込むことができる。本体２１はロックユニット２３に対応する所に貫通孔を有し、ロックユニット２３から突出したロック部２３１は本体２１を貫通し凹部２１１に届くことができる。もちろん、仮に、本体２１が中空構造の壁面を有する場合、ロック部２３１は直接本体２１を貫通することもできる。
【００２７】
本実施例において、グランドロック装置２０は利用者操作ユニット２４を更に備え、この利用者操作ユニット２４は溝蓋ユニット２２、またはロックユニット２３に接続される。その接続は、電気的信号を通して有線、または無線の方式によって駆動および制御を行うことで実現される。ここの利用者操作ユニット２４は、溝蓋ユニット２２及びロックユニット２３に接続されることで、溝蓋ユニット２２及びロックユニット２３を駆動し制御する。利用者は手動、または利用者操作ユニット２４のインタフェースによって、駆動要素２２２を制御し、カバーシート２２１を開成方向、または閉成方向へ駆動させることができる。グランドロック装置２０を個人的な用途のために購入した時、利用者操作ユニット２４は、駆動要素２２２を駆動するかどうかのみを制御する構造が簡単なユニットとすることができる。この場合、利用者は識別素子によって、利用者操作ユニット２４に身分を識別させた後、カバーシート２２１を駆動して開くか、または、直接に利用者操作ユニット２４にパスワードを入力することで、カバーシート２２１を駆動して開くことができる。以下では、グランドロック装置２０を公共自転車のレンタルシステムと合わせて使用する場合を例とし、グランドロック装置２０の作動方式の説明を行う。しかしながら、公共自転車のレンタルシステムの運営方式は、本発明の主な特徴ではなく、例として説明をするのみで、本発明の応用を限定するものでない。
【００２８】
図２Ａから図２Ｃ及び図４Ａ、図４Ｂを同時に参照されたい。公共自転車のレンタルシステムは複数のレンタルステーションに合わせて運営することができる。各レンタルステーションには複数の自転車が設けられるようにし、各自転車には自転車識別素子を設置することで、自転車が属するレンタルステーションの番号、ロック番号、使用時間、または身分識別コードなどを記録することができる。図４Ａと図４Ｂはレンタルステーションに複数の自転車と複数のグランドロック装置を設けた実施態様を示した概略図である。公共自転車のレンタルシステムは、リモート管理サーバと、各レンタルステーションに設けた複数の中央制御ユニットと、その対応する各前記中央制御ユニットに電気的に接続される複数の利用者操作ユニット２４とを備える。自転車の利用者は、カード番号、利用者身分情報及びチャージ金額などの情報が内蔵してあるプリペイドカード（図示しない）を購入するだけで、利用者がレンタルした自転車を返却したい時、自転車が対応するグランドロック装置２０の利用者操作ユニット２４にプリペイドカードを近距離で感知させて、身分識別が成功した後に、利用者操作ユニット２４は駆動要素２２２を駆動してカバーシート２２１を開き、この時、サポート部２１４を引っ込ませることで、車輪Ｗの出し入れが妨げられないようにすることができる。図４Ａにおいては、１つの利用者操作ユニット２４を複数のグランドロック装置２０の付近に設置し、つまり、１つの利用者操作ユニット２４が複数のグランドロック装置２０を制御できる場合を例とする。図４Ｂにおいては、各グランドロック装置２０の傍にいずれも利用者操作ユニット２４が設置された場合を例とし、この実施態様において、各グランドロック装置２０と各利用者操作ユニット２４は一対一の制御であり、且つ利用者操作ユニット２４も地面と平面をなすように設置し、利用者に操作させるために、利用者操作ユニット２４のインタフェースのみが地面Ｇに露出する。図４Ａと図４Ｂから分かるように、グランドロック装置２０のカバーシート２２１の上面のみが地面Ｇに露出するとともに、各グランドロック装置２０を非常に近接して配置することができ、隣接するグランドロック装置２０の間隔をグランドロック装置２０の長さより小さくし、且つ、各グランドロック装置２０を交錯に設置することができるので、設置が必要とするスペースは比較的少ない。
【００２９】
利用者が自転車を駐車しロックする時、利用者操作ユニット２４による身分識別が必要であり、身分識別が正しい場合、カバーシート２２１は駆動され、溝蓋ユニット２２を開いた状態（図２Ｃ）にし、且つ駆動要素２２２に設置された停止素子Ｓによって、カバーシート２２１を停止させ、凹部２１１の開口部Ｏを覆わないようにする。次に、ロックユニット２３は、利用者操作ユニット２４を駆動すること（例えば、身分識別を完了した後、しばらく時間を経てから、ロックユニット２３はロック作動を開始する）によって、または利用者が手動操作を行うことで、ロックユニット２３からロック部２３１を突出させて車輪Ｗを貫通させ、車輪Ｗの移動を制限する。
【００３０】
利用者が自転車の車輪のロックを解除したい時、利用者操作ユニット２４で身分識別を行い、身分識別が正しい場合、利用者操作ユニット２４はロックユニット２３を駆動してロックを解除させ、ロックユニット２３から突出したロック部２３１が引っ込んだ後、利用者は、凹部２１１から自転車の車輪Ｗを引っ張り出すことによって、自転車を取り出して使用することができる。
【００３１】
上記のロック作動は、自転車の利用者にとって、自ら余分なロックを持ち歩く必要がないので、非常に便利である。また、グランドロック装置２０は地面Ｇと平面をなすように設置するので、自転車が駐車していない時は、グランドロック装置２０を設置した地面は依然として平坦で、グランドロック装置２０は地面から突出することがないため、歩行者は、グランドロック装置の上をスムーズに歩くことができ、駐車ラックにつまずく恐れはない。よって、歩行者が使用する歩行エリアを大幅に増加できるだけでなく、環境の美化にも役立てられる。
【実施例２】
【００３２】
図５Ａと図５Ｂは本発明の第２実施例に係るグランドロック装置の概略図である。グランドロック装置２０ｅは本体２１ｅと溝蓋ユニット２２ｅ、及びロックユニット２３ｅを備える。前の実施例のグランドロック装置との主な相違は、本実施例のグランドロック装置２０ｅは検出ユニット２５を更に備える点である。検出ユニット２５は本体２１ｅに設置され、例えば、本体２１ｅの内壁に位置する。検出ユニット２５は車輪Ｗが凹部２１１ｅに陥入したか否かを検出、またはロックユニット２３ｅのロック部２３１ｅが突出する経路上に障害物があるか否かを検出し、例えば、凹部２１１ｅに車輪Ｗのリム、またはその他の障害物が落下したか否かを検出する。ロックユニット２３ｅのロック部２３１ｅが突出する経路上に障害物があるか否かを検出する時、検出ユニット２５の検出器はロック部２３１ｅの突出する経路上に設置されると同時にロックユニット２３ｅと対向して設置されることができる。検出を行った後、車輪Ｗが凹部２１１ｅにすでに陥入している場合、またはロックユニット２３ｅのロック部２３１ｅが突出する経路上に障害物がない場合、ロックユニット２３ｅはロック動作を実行し始めることができる。
【００３３】
本実施例において、グランドロック装置２０ｅは警報ユニット２６を更に備え、この警報ユニット２６は検出ユニット２５に接続され、且つ利用者操作ユニット２４ｅと統合することができる。検出ユニット２５が検出を行った後、車輪Ｗがまだ凹部２１１ｅに陥入していない場合、またはロックユニット２３ｅのロック部２３１ｅが突出する経路上に障害物があると発見した場合、警報ユニット２６は音、光、または振動で利用者に警告を発する。また、利用者操作ユニット２４ｅは、関連する警告の内容や文字を利用者に通知するよう、操作インタフェースにおいて表示することができる。これにより、利用者は車輪Ｗを迅速に凹部２１１ｅに置き、またはロック部２３１ｅが突出する経路上の障害物を早めに除去することができ、これによって、グランドロック装置２０ｅの安全性と利便性を更に高めることができる。
【００３４】
本実施例のグランドロック装置２０ｅのロックユニット２３ｅは電子ロックであり、例えば、電気ドロップボルトである。この電子ロックは、利用者が手動操作、または利用者操作ユニット２４ｅを駆動することによって、ロック作動を行う。ロックユニット２３のロック部２３１ｅの先端にはリード角（例えば、斜角）を有し、障害物にあった時、ロック部２３１ｅは障害物上を滑り抜け、そのためリム、またはスポークに妨害されることなく、車輪Ｗを貫通することができる。
【００３５】
注意すべきことは、本実施例のグランドロック装置２０ｅの本体２１ｅと、溝蓋ユニット２２ｅと、ロックユニット２３ａと、検出ユニット２５及び警報ユニット２６はいずれも第１実施例のグランドロック装置と互いに組み合わせて使用することができ、ここに示したものに限定されない。
【００３６】
更に、本発明はもう１つのグランドロック装置を開示し、乗り物の車輪をロックするために用いられる。そのグランドロック装置は本体と溝蓋ユニット、及びロックユニットを備える。本体は凹部を有し、溝蓋ユニットは凹部の開口部の周縁に連結され、溝蓋ユニットを開いた状態にした後、ロックユニットはロック作動を行う。上記の本体と溝蓋ユニット、及びロックユニットの技術的特徴及び互いの間の取付け関係は、すでに上記の複数の実施例において、図示と共に詳細な説明をしたため、ここでは繰り返して述べない。
【００３７】
また、留意すべきことは、全ての実施例においての各素子、部材、またはユニットの異なる変化態様はいずれも各実施例で選択的に使用することができ、上記の実施例の態様に限定されない。
【００３８】
上述をまとめると、本発明に基づいたグランドロック装置は本体及びロックユニットを有し、且つ本体は地面より低い凹部を有する。乗り物をロックする時は、乗り物の車輪が本体の凹部に陥入した後に、ロックユニットに車輪を貫通させることで、乗り物をロックすることができる。乗り物の利用者にとって、上記のグランドロック装置は自らロックを持ち歩く必要がないため、非常に便利である。また、グランドロック装置は地面と平面をなすように設置しているので、乗り物が駐車していない時は、グランドロック装置を設置した地面は依然として平坦で、地面から突出することがないため、歩行者は、グランドロック装置の上をスムーズに歩くことができ、駐車ラックにつまずく恐れはない。よって、本発明は歩行者が使用する歩行エリアを大幅に増加できるだけでなく、環境の美化にも役立てられる。
【００３９】
以上、特定の実施例に基づいて本発明を例示的に説明したが、これらの説明は本発明を限定するためのものではない。当業者にとって、上記実施例についての様々な変更実施例や代替実施例は明らかである。よって、本発明の技術的思想および範囲から逸脱することなく行われる等価の修正または変更は、いずれも別紙の特許請求の範囲に含まれる。
【産業上の利用可能性】
【００４０】
本発明は以上の如く構成したため、利用者に乗り物をロックしやすいグランドロック装置を提供し得るものである。
【符号の説明】
【００４１】
１０：駐輪ラック
１１：ベース
１２：Ａ型フレーム
１２１：湾曲ロッド
２０、２０ａ、２０ｂ、２０ｃ、２０ｄ、２０ｅ：グランドロック装置
２１、２１ａ、２１ｂ、２１ｃ、２１ｄ、２１ｅ：本体
２１１、２１１ａ、２１１ｂ、２１１ｃ、２１１ｄ、２１１ｅ：凹部
２１４、２１４ｂ、２１４ｅ：サポート部
２２、２２ａ、２２ｂ、２２ｃ、２２ｄ、２２ｅ：溝蓋ユニット
２２１、２２１ａ、２２１ｂ、２２１ｃ、２２１ｄ、２２１ｅ：カバーシート
２２２、２２２ｂ、２２２ｃ、２２２ｄ、２２２ｅ：駆動要素
２３、２３ｅ：ロックユニット
２３１：ロック部
２４、２４ａ、２４ｂ、２４ｅ：利用者操作ユニット
２５：検出ユニット
２６：警報ユニット
Ｇ：地面
Ｌ：ロック
Ｏ：開口部
Ｓ：停止素子
Ｔ：前輪
Ｗ：車輪
θ：アングル
【図１】
0006038993.tif 000002
【図２Ａ】
0006038993.tif 000003
【図２Ｂ】
0006038993.tif 000004
【図２Ｃ】
0006038993.tif 000005
【図３Ａ】
0006038993.tif 000006
【図３Ｂ】
0006038993.tif 000007
【図３Ｃ】
0006038993.tif 000008
【図３Ｄ】
0006038993.tif 000009
【図４Ａ】
0006038993.tif 000010
【図４Ｂ】
0006038993.tif 000011
【図５Ａ】
0006038993.tif 000012
【図５Ｂ】
0006038993.tif 000013